【手続補正書】
【提出日】令和2年4月3日(2020.4.3)
【手続補正１】
【補正対象書類名】特許請求の範囲
【補正対象項目名】全文
【補正方法】変更
【補正の内容】
【特許請求の範囲】
【請求項１】
入力画像信号値を、画像形成装置が具備する実色材の出力値に変換するための第１の色変換テーブルを作成する作成装置であって、
前記第１の色変換テーブルは、格子点の数が前記第１の色変換テーブルよりも多い第２の色変換テーブルから格子点が間引かれた色変換テーブルであり、
前記第１の色変換テーブルにおける格子点の位置を示す格子点位置情報を取得する取得手段と、
前記格子点位置情報に基づいて、前記第１の色変換テーブルを作成する作成手段と、を有し、
前記作成手段は、
前記格子点位置情報に基づいて、前記実色材の出力値の変曲点が前記格子点の位置にあるか否かを判定し、
前記実色材の出力値の変曲点が前記格子点の位置にない場合は、前記第２の色変換テーブルにおける少なくとも２つの前記実色材について、少なくとも一部の出力値を前記格子点位置情報に応じて修正することにより、前記第１の色変換テーブルを作成する
ことを特徴とする作成装置。
【請求項２】
前記作成手段は、前記第２の色変換テーブルにおける少なくとも２つの前記実色材の出力値の変曲点を、前記第１の色変換テーブルにおける格子点の位置に一致させることを特徴とする請求項１に記載の作成装置。
【請求項３】
前記変曲点は、前記少なくとも２つの実色材の出力値の増減が変化する点に対応する前記入力画像信号値である
ことを特徴とする請求項１または２に記載の作成装置。
【請求項４】
前記作成手段は、前記変曲点を、前記入力画像信号値によって表される階調が明るい方向に隣接する前記第１の色変換テーブルにおける格子点の位置と一致させる
ことを特徴とする請求項１から３のいずれか１項に記載の作成装置。
【請求項５】
前記作成手段は、
前記変曲点を探索する探索手段と、
前記探索された変曲点が前記第１の色変換テーブルにおける格子点の位置と一致しない場合、前記変曲点を、前記入力画像信号値によって表される階調が明るい方向に隣接する前記第１の色変換テーブルにおける格子点の位置に一致させ、
前記変曲点を前記第１の色変換テーブルにおける格子点の位置に一致させることに伴い減少した前記少なくとも２つの実色材の出力値を、記憶媒体に打ち込み可能な前記少なくとも２つの実色材の制限値から減算し、当該減算された制限値を基準として前記少なくとも２つの実色材の出力値を計算する計算手段と、をさらに有する
ことを特徴とする請求項４に記載の作成装置。
【請求項６】
前記作成手段は、前記変曲点を、前記入力画像信号値によって表される階調が暗い方向に隣接する前記第１の色変換テーブルにおける格子点の位置と一致させる
ことを特徴とする請求項１から３のいずれか１項に記載の作成装置。
【請求項７】
前記作成手段は、
前記変曲点を探索する探索手段と、
前記探索された変曲点が前記第１の色変換テーブルにおける格子点の位置と一致しない場合、前記変曲点を、前記入力画像信号値によって表される階調が暗い方向に隣接する前記第１の色変換テーブルにおける格子点の位置に一致させ、
前記変曲点を前記第１の色変換テーブルにおける格子点の位置に一致させることに伴い減少した前記少なくとも２つの実色材の出力値を、記憶媒体に打ち込み可能な前記少なくとも２つの実色材の制限値から減算し、当該減算された制限値を基準として前記少なくとも２つの実色材の出力値を計算する計算手段と、をさらに有する
ことを特徴とする請求項６に記載の作成装置。
【請求項８】
前記取得手段は、前記第１の色変換テーブルにおける格子点が均等間隔に配置されていることを示す前記格子点位置情報を取得する
ことを特徴とする請求項１から７のいずれか１項に記載の作成装置。
【請求項９】
前記第１の色変換テーブルは、３次元ルックアップテーブルと、非線形特性を備える１次元の非線形変換ルックアップテーブルとを含み、
前記取得手段は、前記非線形特性に基づいて決定される前記第１の色変換テーブルにおける格子点の位置を示す前記格子点位置情報であって、前記第１の色変換テーブルにおける格子点が不均等間隔に配置されていることを示す前記格子点位置情報を取得する
ことを特徴とする請求項１から７のいずれか１項に記載の作成装置。
【請求項１０】
予め作成されている既存の色変換テーブルを格納する格納手段と、
前記既存の色変換テーブルにおける格子点に保持されている前記少なくとも２つの実色材の出力値を修正する修正手段と、をさらに有し、
前記第２の色変換テーブルは、前記修正手段によって前記少なくとも２つの実色材の出力値が修正された後の前記既存の色変換テーブルである
ことを特徴とする請求項１から９のいずれか１項に記載の作成装置。
【請求項１１】
前記修正手段は、着目格子点および前記着目格子点の近傍の格子点における前記少なくとも２つの実色材の出力値から算出される階調性評価値に基づいて、前記着目格子点に保持される前記少なくとも２つの実色材の出力値を修正する
ことを特徴とする請求項１０に記載の作成装置。
【請求項１２】
前記第２の色変換テーブルを作成する第２の作成手段をさらに有し、
前記第２の作成手段は、
前記入力画像信号値に対応する複数の仮想色材の出力値を、前記第２の色変換テーブルにおける格子点ごとに算出する算出手段と、
前記算出された複数の仮想色材の出力値を、予め与えられている前記第２の色変換テーブルの各頂点における前記少なくとも２つの実色材の出力値に基づいて、前記第２の色変換テーブルにおける格子点ごとに、前記少なくとも２つの色材の出力値に変換する変換手段と、をさらに有し
前記複数の仮想色材のそれぞれは、前記少なくとも２つの実色材の出力において再現される波長範囲を複数の波長帯に分割したときのそれぞれの波長帯に対応する濃度を有し、
前記算出手段は、前記それぞれの波長帯に対応する濃度に基づいて前記入力画像信号値に対応する前記複数の仮想色材の出力値を算出する
ことを特徴とする請求項１から１１のいずれか１項に記載の作成装置。
【請求項１３】
前記第２の色変換テーブルを作成する第２の作成手段をさらに有し、
前記第２の作成手段は、
予め定められている前記入力画像信号値と前記少なくとも２つの実色材の出力値との対応関係に応じて出力されたパッチを測定する測定手段と、
前記パッチから生成されたパッチ画像の画質を評価する評価手段と、
前記評価に基づいて、前記第２の色変換テーブルにおける格子点ごとに前記少なくとも２つの実色材の出力値を算出する算出手段と、を有する
ことを特徴とする請求項１から１１のいずれか１項に記載の作成装置。
【請求項１４】
前記少なくとも２つの実色材は、同一色相で濃度の異なる２以上の色材、同一色でドットサイズが異なる色材、同一色相を再現可能な複数の色材、または、特色のインクのうち少なくともいずれか１つであること
を特徴とする請求項１から１３のいずれか１項に記載の作成装置。
【請求項１５】
入力画像信号値を、画像形成装置が具備する実色材の出力値に変換するための第１の色変換テーブルの作成方法であって、
前記第１の色変換テーブルは、格子点の数が前記第１の色変換テーブルよりも多い第２の色変換テーブルから格子点が間引かれた色変換テーブルであり、
前記第１の色変換テーブルにおける格子点の位置を示す格子点位置情報を取得する取得ステップと、
前記格子点位置情報に基づいて、前記第１の色変換テーブルを作成する作成ステップと、を有し、
前記作成ステップにおいて、
前記格子点位置情報に基づいて、前記実色材の出力値の変曲点が前記格子点の位置にあるか否かを判定し、
前記実色材の出力値の変曲点が前記格子点の位置にない場合は、前記第２の色変換テーブルにおける少なくとも２つの前記実色材について、少なくとも一部の出力値を前記格子点位置情報に応じて修正することにより、前記第１の色変換テーブルを作成する
ことを特徴とする作成方法。
【請求項１６】
請求項１５に記載の作成方法によって作成された前記第１の色変換テーブルを用いて、前記入力画像信号値を、画像形成装置が具備する実色材の出力値に変換する色変換処理装置。
【請求項１７】
請求項１５に記載の作成方法によって作成された前記第１の色変換テーブルを用いて、前記入力画像信号値を、画像形成装置が具備する実色材の出力値に変換する色変換処理方法。
【請求項１８】
コンピュータを請求項１から請求項１４のいずれか１項に記載の作成装置の各手段として機能させるためのプログラム。
【手続補正２】
【補正対象書類名】明細書
【補正対象項目名】発明の名称
【補正方法】変更
【補正の内容】
【発明の名称】色変換テーブルの作成装置、色変換テーブルの作成方法、色変換処理装置、色変換処理方法およびプログラム
【手続補正３】
【補正対象書類名】明細書
【補正対象項目名】０００１
【補正方法】変更
【補正の内容】
【０００１】
本発明は、入力画像信号を、画像形成装置が具備する色材の出力値に変換するための色変換テーブルの作成技術に関する。
【手続補正４】
【補正対象書類名】明細書
【補正対象項目名】０００９
【補正方法】変更
【補正の内容】
【０００９】
本発明はこれらの課題に鑑み、色変換処理において複雑な処理を必要とせず、良好な色変換特性を備える色変換テーブルの作成手法を提供することを目的とする。
【手続補正５】
【補正対象書類名】明細書
【補正対象項目名】００１０
【補正方法】変更
【補正の内容】
【００１０】
本発明の作成装置は、入力画像信号値を、画像形成装置が具備する実色材の出力値に変換するための第１の色変換テーブルを作成する作成装置であって、前記第１の色変換テーブルは、格子点の数が前記第１の色変換テーブルよりも多い第２の色変換テーブルから格子点が間引かれた色変換テーブルであり、前記第１の色変換テーブルにおける格子点の位置を示す格子点位置情報を取得する取得手段と、前記格子点位置情報に基づいて、前記第１の色変換テーブルを作成する作成手段と、を有し、前記作成手段は、前記格子点位置情報に基づいて、前記実色材の出力値の変曲点が前記格子点の位置にあるか否かを判定し、前記実色材の出力値の変曲点が前記格子点の位置にない場合は、前記第２の色変換テーブルにおける少なくとも２つの前記実色材について、少なくとも一部の出力値を前記格子点位置情報に応じて修正することにより、前記第１の色変換テーブルを作成することを特徴とする。
【手続補正６】
【補正対象書類名】明細書
【補正対象項目名】００１１
【補正方法】変更
【補正の内容】
【００１１】
本発明によれば、色変換処理において複雑な処理を必要とせず、良好な色変換特性を備える色変換テーブルを作成することができる。